(57)【要約】【課題】筆記先端部を軸筒の前端開口部から突出させた状態で、インキ収容筒の後方空間部の密閉状態を解除して容易に外気圧と同圧とし、且つ、筆記先端部を軸筒の前端開口部から突出させた状態で、加圧可能な加圧式筆記具を提供すること【解決手段】軸筒４内に、筆記具用インキ組成物１２を充填したインキ収容筒１１と、ボールペンチップ１４と、を具備したボールペンレフィル７を収容し、インキ収容筒１１の後方には、インキ収容筒１１の後部に連結した加圧機構６と、軸筒４に対して前後動自在に係止した摺動体と、を具備し、加圧機構６が、ボールペンレフィル７の後方に内外を連通する空気口１７ｃを有するシリンダー１７と、シリンダー１７に対し前後動可能に配設したピストン１８と、シリンダー１７の内部にボールペンレフィル７の後方空間部７ｃとピストン１８との間を連通する加圧空間部１０と、を備える。【選択図】図１
2019130806.tif 000002
【特許請求の範囲】
【請求項１】
軸筒内に、筆記具用インキ組成物を充填したインキ収容筒と、該インキ収容筒の前方にボールペンチップと、を具備したボールペンレフィルを収容してなり、
前記インキ収容筒の後方には、当該インキ収容筒の後部に連結し、外部と連通する空気口を備えた加圧機構を具備し、
前記加圧機構が、前記ボールペンレフィルの後方に内外を連通する前記空気口を有するシリンダーと、前記シリンダーに対し前後動可能に配設したピストンと、前記シリンダーの内部に前記ボールペンレフィルの後方空間部と前記ピストンとの間を連通する加圧空間部と、を備え、
前記空気口の外部との連通を遮断し、前記インキ収容筒の後方空間部を圧縮して加圧するよう構成した加圧式筆記具であって、
前記軸筒内に、該軸筒に対して前後動自在に係止した摺動体が配設され、
前記ボールペンレフィルの前端部が前記軸筒の前端開口部から突出した状態で、前記摺動体を前方または後方へ移動させることで、前記シリンダーまたは前記ピストンを前方に移動させて、前記加圧機構の空気口を外部と連通し、且つ、前記摺動体を前記加圧機構の空気口が外部と連通する方向と逆方向へ移動させることで、前記シリンダーまたは前記ピストンを後方に移動させ、前記加圧機構の空気口が遮断され前記インキ収容筒の後方空間部を圧縮して加圧するよう構成したことを特徴とする加圧式筆記具。
【発明の詳細な説明】
【技術分野】
【０００１】
本発明は、インキ収容筒内の筆記具用インキ組成物の後端に圧力を加える加圧式筆記具に関するものである。
【背景技術】
【０００２】
従来からこの種の加圧式筆記具には、例えば特許文献１に開示のように、インキを充填した筆記体の後端部に、ノック体への押圧操作により、筆記体の筆記先端部を軸筒先端開口部より出没するノック式の出没機構と、筆記体のインキ収容筒の後方空間部を加圧する加圧機構と、を具備した、ノック式の加圧式筆記具が知られている。
【０００３】
前記したようなノック式の加圧機構を有する加圧式筆記具においては、ノック体の押圧操作に連動して加圧機構が作動し、インキ収容筒の後方空間部を加圧すると共に、ノック式の出没機構による筆記先端部の軸筒内への収納操作に連動してインキ収容内の加圧状態を解除する構造になっている。また、筆記先端部を軸筒先端開口部より突出させた加圧状態で、筆記によりインキ収容筒内のインキが消費されると、加圧されたインキ収容筒内が徐々に減圧されるため、加圧することで得られるインキ吐出量の増加に伴う筆跡濃度の向上や、筆記体の先端を上向きで筆記した際に当該先端からの空気の巻き込みを防止するなどの効果が減少してしまう。このため、減圧した状態をリセットするため、ノック体を押圧して筆記先端部を軸筒内に収納してインキ充填管内の密閉状態を一旦解除し、更に、ノック体を押圧してインキ収容内を再度加圧状態にする必要があり、手間が掛かっていた。また、温度の上昇や気圧の変化などによって、圧力が増加した場合も同様に、増圧した状態をリセットするため、ノック体を押圧して筆記先端部を軸筒内に収納してインキ充填管内の加圧状態を一旦解除し、更に、ノック体を押圧してインキ収容内を再度加圧状態にする必要があった。
【０００４】
一方、特許文献２には、筆記時の筆圧によって加圧機構部を作動させ、インキ収容管内を加圧状態とする、いわゆる筆圧加圧式のボールペンが開示されている。
この特許文献２に記載されている筆圧加圧式のボールペンは、筆記時にボールペンチップ（筆記先端部）が筆圧によって後退することで加圧機構部が作動してインキ収容管内のインキの後端に圧力を掛ける構造のため、筆記毎に加圧しつつ筆記することとなり、筆記時のインキ収容管内の圧力が一定の状態となることで、安定した筆跡を得ることができる。
【先行技術文献】
【特許文献】
【０００５】
【特許文献１】特開２０００−３３５１７３号公報
【特許文献２】特開２０００−２６３９９２号公報
【発明の概要】
【発明が解決しようとする課題】
【０００６】
しかしながら、特許文献２の構造では、筆記時の筆圧により筆記先端部を微小に後退させることで加圧機構部を作動させている。このため、使用者が感じる筆記時の筆感は、筆記先端部が後方へ動くために柔らかいものとなる。この柔らかい筆感を好む人が多数いることは知られているが、一方で、筆記時に筆記先端部が後退することを不快と感じる人がいることも知られており、特許文献２に記載されている筆圧加圧式のボールペンは、万人が筆記し易いと感じるわけではないという課題があった。
【０００７】
本発明は、加圧式筆記具において、筆記先端部を軸筒の前端開口部から突出させた状態で、インキ収容筒の後方空間部を外気圧と同圧にでき、且つ、筆記先端部を軸筒の前端開口部から突出させた状態で、インキ収容筒の後方空間部を加圧可能な加圧式筆記具を提供することを目的とした。
【課題を解決するための手段】
【０００８】
本発明は、
「１．軸筒内に、筆記具用インキ組成物を充填したインキ収容筒と、該インキ収容筒の前方にボールペンチップと、を具備したボールペンレフィルを収容してなり、
前記インキ収容筒の後方には、当該インキ収容筒の後部に連結し、外部と連通する空気口を備えた加圧機構を具備し、
前記加圧機構が、前記ボールペンレフィルの後方に内外を連通する前記空気口を有するシリンダーと、前記シリンダーに対し前後動可能に配設したピストンと、前記シリンダーの内部に前記ボールペンレフィルの後方空間部と前記ピストンとの間を連通する加圧空間部と、を備え、
前記空気口の外部との連通を遮断し、前記インキ収容筒の後方空間部を圧縮して加圧するよう構成した加圧式筆記具であって、
前記軸筒内に、該軸筒に対して前後動自在に係止した摺動体が配設され、
前記ボールペンレフィルの前端部が前記軸筒の前端開口部から突出した状態で、前記摺動体を前方または後方へ移動させることで、前記シリンダーまたは前記ピストンを前方に移動させて、前記加圧機構の空気口を外部と連通し、且つ、前記摺動体を前記加圧機構の空気口が外部と連通する方向と逆方向へ移動させることで、前記シリンダーまたは前記ピストンを後方に移動させ、前記加圧機構の空気口が遮断され前記インキ収容筒の後方空間部を圧縮して加圧するよう構成したことを特徴とする加圧式筆記具。」である。
【０００９】
本発明によれば、ボールペンレフィルの前端部が前記軸筒の前端開口部から突出した状態で、摺動体を前方または後方へ移動させることで、前記シリンダーまたはピストンを前方に移動させ、加圧機構の空気口を外部と連通させ、且つ、摺動体を加圧機構の空気口が外部と連通するために移動させる方向に対して逆方向へ移動させることで、シリンダーまたはピストンを後方に移動させ、加圧機構の空気口が遮断されインキ収容筒の後方空間部を圧縮して加圧することができる。このため、本発明の加圧式筆記具で筆記した際、筆記によりインキ収容筒内の筆記具用インキ組成物が消費され、インキ収容筒の後方空間部の容積が増加することで加圧機構により掛けられていた圧力が減圧される等、後方空間部の圧力が変化しても、筆記先端部を軸筒の前端開口部から突出させた状態のまま、摺動体を移動して加圧機構を作動させることで容易に圧力を解除、再加圧させ、筆記を再開することができる。
尚、加圧機構の空気口を外部と連通させる際に、摺動体を移動させる方向は前方でも後方でもどちらでもよいが、筆記時での操作性を鑑みると、摺動体を前方へ移動させることが好ましい。
【００１０】
尚、本発明の加圧式筆記具は、キャップ式筆記具、出没式筆記具のどちらでもよく、出没式筆記具としては、従来公知の後端ノック式、回転繰出式、サイドノック式等、特に限定されることはなく採用することができる。
【００１１】
また、摺動体を移動させ、加圧機構の空気口を外部と連通させることでインキ収容筒の後方空間部の密閉状態を解除した後、摺動体が自動的に移動して加圧機構の空気口が遮断され、インキ収容筒の後方空間部を圧縮して加圧するよう、軸筒内に、摺動体を軸方向に沿って前方または後方（加圧機構が作動する方向）へ向って弾発する第一の弾発部材を配設することが好ましく、この場合、摺動体を操作し、加圧機構の空気口を開放した後、第一の弾発部材の弾性力により自動的に摺動体が加圧機構を作動させる方向へ移動し、加圧することができる。このため、加圧し易い効果を奏する。
【００１２】
また、本発明の加圧機構は、軸筒内に配設したシリンダーがピストンに対して相対的に後退、または、ピストンがシリンダーに対して相対的に後退することで、シリンダー内の加圧空間部が圧縮して加圧され、加圧空間部に連通するボールペンレフィルの後方空間部が加圧される。このシリンダーには内外を連通する空気口を設けているため、加圧空間部の加圧状態を解除した際に、空気口によりすぐに外部と加圧空間部を連通させることができるため、加圧解除時に瞬間的に発生する加圧空間部が負圧状態（外気圧より低くなる状態）になることを防止できる。このため、加圧空間部が負圧になることで、加圧解除時にボールペンレフィルの前端部から空気をボールペンレフィル内に微量に吸い込み、次の筆記開始時にインキの吐出を阻害し、筆跡が薄くなることを防止できる。
【発明の効果】
【００１３】
本発明によれば、加圧式筆記具において、筆記先端部を軸筒の前端開口部から突出させた状態で、インキ収容筒の後方空間部を外気圧と同圧にでき、且つ、筆記先端部を軸筒の前端開口部から突出させた状態で、インキ収容筒の後方空間部を加圧可能な加圧式筆記具を提供することができた。
【図面の簡単な説明】
【００１４】
【図１】実施例１の加圧式筆記具の縦断面図である。
【図２】図１におけるＡ−Ａ線拡大断面図である。
【図３】摺動体を説明するための斜視図である。
【図４】図１における加圧機構の拡大断面図である。
【図５】図１の状態から摺動体が前方へ移動した状態を示す縦断面図である。
【図６】実施例２の加圧式筆記具の縦断面図である。
【図７】図６の状態から重量体（摺動体）が前方へ移動した状態を示す縦断面図である。
【００１５】
次に図面を参照しながら、本発明の加圧式筆記具をキャップ式のボールペンを用いて詳細に説明するが、本発明は以下の実施例に限定されるものではない。
また、本実施例では、軸筒の長手方向において、ボールペンチップがある方を前方と表現し、その反対側を後方と表現する。更に、軸筒の軸径方向において、ボールペンレフィルがある方を内方と表現し、その反対側を外方と表現する。
尚、説明を分かりやすくするために、図面中の同様の部材、同様の部分については同じ符号を付してある。
【００１６】
実施例１
本実施例の加圧式筆記具１は、図１から図４に示すように、後軸２の前方に前軸３を螺合することで軸筒４を形成してあり、軸筒４内に配設された筒状体５と、筒状体５内に配設された加圧機構６と、加圧機構６の前部に装着され軸筒４内を前後に摺動可能なボールペンレフィル７と、軸筒４の外側面から一部が露出し、軸筒４に対して前後動自在に係止された摺動体９と、により構成してある。
【００１７】
ボールペンレフィル７は、ＰＰ樹脂からなる透明のインキ収容筒１１に、筆記具用インキ組成物であるインキ１２及び当該インキ１２の後端にインキの消費に伴い追従するグリース状のインキ追従体１３を直接収容し、インキ収容筒１１の前端開口部に、ボール（φ０．５ｍｍ）を回動自在に抱持し、筆記先端部となるボールペンチップ１４の後端部を圧入嵌合して得たものである。
【００１８】
摺動体９は、図１から図３に示すように、後端から前方へ向って形成されたスリット部９ａを備えた略筒状体で形成してあり、中心部には前後方向（軸方向）に貫通する内孔９ｂが形成され、前部内孔９ｂ１を後部内孔９ｂ２に比べて小径で形成してある。また、摺動体９の外側面には、外方へ向って突出する突起状の操作部９ｃを形成してある。
尚、操作部９ｃの外方端には凹凸部９ｆを形成してあり、指で操作する際に滑り難くしてある。
【００１９】
前軸３（軸筒４）は、図１に示すように、前端にボールペンレフィル７のボールペンチップ１４が突出可能な前端開口部３ａが形成されている。また、前軸３（軸筒４）の外側面３ｂには、内孔３ｃまで貫通し前後方向に延びる側孔３ｄが形成してあり、側孔３ｄには摺動体９の操作部９ｃが配設され、前軸３に対して摺動体９を前後動自在に係止してある。
【００２０】
更に、前軸３（軸筒４）の内面に形成した内段部３ｅと摺動体９の前端面９ｄとの間に第１コイルスプリング１５（第一の弾発部材）を圧縮状態で張架し、且つ、摺動体９の内段部９ｅには、ボールペンレフィル７の外段部７ａが当接するよう構成することで、前軸３（軸筒４）に対して摺動体９とボールペンレフィル７とを後方に弾発してある。
尚、前軸３（軸筒４）の外側面には凹凸状に形成し把持部３ｆが形成してあり、軸筒４を手で把持した際、指が滑り難くなるようにしてある。
【００２１】
また、摺動体９の操作部９ｃが、前軸３の把持部３ｆの後方に位置するよう配設してある。このため、筆記時に使用者の指が把持部３ｆに掛かることで誤動作が発生することを防ぐことができる。
更に、操作部９ｃの軸周方向の長さＬ１（図２参照）は、把持部３ｆを把持して筆記する際に邪魔にならず、且つ、操作し易いよう、前軸３（軸筒４）の全周長Ｌ２に対して５〜２０％の間に形成することが好ましく、本実施例では、具体的には、前軸３（軸筒４）の全周長Ｌ２は３７．７ｍｍ、操作部９ｃの軸周方向の長さＬ１を４．０ｍｍで形成してあるため、操作部９ｃの軸周方向の長さＬ１は、前軸３（軸筒４）の全周長Ｌ２に対して約１０．６％となり、筆記時に操作部９ｃに指が当たり難く、筆記し易いものとなった。
【００２２】
後軸２（軸筒４）は、後端に底部を備えた略筒状に形成してあり、図１に示すように、外側面２ａに内孔まで貫通する側孔２ｂが形成してある。
【００２３】
筒状体５は、後端に底部５ｃを備えた略筒状に形成してあり、外側面に外方へ向って突出する掛止突起５ａが形成され、内周部には、内方へ向って突出するストッパー５ｂを形成してある。また、筒状体５に形成した掛止突起５ａを後軸２の側孔２ｂに挿入することで、後軸２に対して係着してある。
【００２４】
加圧機構６は、図１及び図４に示すように、ボールペンレフィル７の後方且つ筒状体５の内方に、当該筒状体５に対して前後動自在に収納され、円筒状のシリンダー１７と、シリンダー１７の後端開口部１７ａに挿入され、シリンダー１７に対して前後に摺動可能に係着したピストン１８と、ピストン１８の側面に嵌着されたＯリング８と、シリンダー１７とピストン１８の間に張架した第２コイルスプリング１６（第ニの弾発部材）とで構成してある。
尚、加圧機構６は、筒状体５のストッパー５ｂにより前方への移動を制限してある。
【００２５】
シリンダー１７について詳述すると、図１及び図４に示すように、シリンダー１７は前後に貫通する段状に形成された内孔１７ｂを有しており、シリンダー１７の外周面には、内孔１７ｂまで貫通する空気孔１７ｃを形成してある。
また、シリンダー１７の内孔１７ｂには、シリンダー１７の内側部１７ｄとピストン１８の前端とＯリング８とにより囲まれた加圧空間部１０が形成され、加圧空間部１０は空気口１７ｃによりシリンダー１７の外部と連通可能に構成してある。
【００２６】
更に、シリンダー１７の前部１７ｅは中央部１７ｆより小径で形成してあり、前部１７ｅには外方へ向かって円周状に突出する装着部１７ｇが軸方向に沿って２箇所形成してある。また、ボールペンレフィル７の後端内周部７ｂはシリンダー１７の装着部１７ｇに着脱自在に装着してあり、加圧空間部１０はシリンダー１７の内孔１７ｂによりボールペンレフィル７の後部内孔７ｃまで連通してある。
尚、装着部１７ｇは、シリンダー１７にボールペンレフィル７を装着した際、シリンダー１７とボールペンレフィル７との間の気密が確保され、且つ、手で容易に着脱可能になるよう外方への突出量（外径）を調整してある。
【００２７】
ピストン１８について詳述すると、ピストン１８の外周部１８ａには外方へ向かって突出する凸部１８ｂが軸心を挟んで対称に２箇所形成してある。そして、凸部１８ｂをシリンダー１７の中央部１７ｆに軸心に沿って延びるように形成した窓部１７ｈに、前後方向に対して摺動自在に係止してある。
【００２８】
更に、ピストン１８の外周部１８ａには軸周方向に延びる凹状の凹状部１８ｃが形成してあり、凹状部１８ｃには合成ゴムで形成したＯリング８を嵌着してある。このＯリング８の外側部はシリンダー１７の内側部１７ｄに摺接しており、シリンダー１７の後端開口部１７ａをピストン１８とＯリング８とで空気が漏れないように密閉してある。また、ピストン１８の後端面には前方へ向って凹状に形成された後方内孔１８ｄを設けてある。
尚、シリンダー１７が後退した際、シリンダー１７の後端に筒状体５の底部５ｃが当接することで、シリンダー１７の後退を制限してある。
【００２９】
第２コイルスプリング１６（第ニの弾発部材）について詳述すると、第２コイルスプリング１６はシリンダー１７の内方段部１７ｉとピストン１８の前段部１８ｅとの間に張架してあり、ピストン１８に対してシリンダー１７を前方に弾発してある。
【００３０】
尚、加圧空間部１０は、シリンダー１７の前後への摺動によりＯリング８の位置がシリンダー１７の空気口１７ｃより前方にあるときは密閉状態となり、Ｏリング８の位置が空気口１７ｃより後方にあるときは、加圧空間部１０とシリンダー１７の外部とが空気口１７ｃにより連通され非密閉状態となる。
【００３１】
また、第１コイルスプリング１５（第一の弾発部材）でボールペンレフィル７を後方へ弾発することで、加圧機構６のシリンダー１７が第２コイルスプリング１６（第二の弾発部材）の弾発力により前進することを防ぎ、シリンダー内の加圧空間部１０の加圧状態を維持できるよう、第２コイルスプリング１６（第二の弾発部材）の弾発力より第１コイルスプリング１５（第一の弾発部材）の弾発力が大きくなるよう構成することが好ましい。
このため、本実施例では、第１コイルスプリング１５の弾発力は２．４Ｎ、第２コイルスプリング１６の弾発力は１．７Ｎとなるよう構成した。
【００３２】
尚、加圧式筆記具１の加圧機構６は、摺動体９を前後動させることで、ボールペンチップ１４の前端部１４ａ（筆記先端部）が前軸３の前端開口部３ａから突出した筆記状態におけるシリンダー１７内の加圧空間部１０の密閉を解除して外気圧と同圧とし、その後、加圧空間部１０を再度密閉して圧縮し加圧する加圧リセット構造を備えている。
【００３３】
次に、図１及び図５を用いて、加圧機構６を作動させ、摺動体９を軸方向に沿って前後に摺動することで、シリンダー１７内の加圧空間部１０の密閉状態を解除し、再度密閉して圧縮し加圧する動作を説明する。
図１の状態から、前軸３（軸筒４）の外側面から露出する摺動体９の操作部９ｃに指を当て前方へ移動させると、第２コイルスプリング１６の弾発力でシリンダー１７とボールペンレフィル７とが前進しつつ、シリンダー１７に対してピストン１８とＯリング８とが相対的に後方へ移動する。そして、Ｏリング８がシリンダー１７の空気口１７ｃに達すると、加圧空間部１０と外部とが連通し、加圧空間部１０の密閉状態が解除されて、外気圧と同圧となる図５の状態となる。
【００３４】
ここで、図５の状態から、操作部９ｃから指を離す、または、操作部９ｃを前方へ押している指の力を緩めると、第１コイルスプリング１５の弾発力により摺動体９、ボールペンレフィル７、シリンダー１７、ピストン１８、Ｏリング８が後方へ移動する。そして、筒状体５の底部５ｃにピストン１８の後端が当接することでピストン１８とＯリング８の後退が止まる。この際、第２コイルスプリング１６の弾発力より第１コイルスプリング１５の弾発力の方が強くなるよう設定しているため、シリンダー１７とボールペンレフィル７は後退を続け、シリンダー１７の空気口１７ｃがＯリング８より後方へ移動し、加圧空間部１０が密閉状態となり、更にシリンダー１７が後方へ移動することで、加圧空間部１０が圧縮し加圧された図１の状態に戻る。  
【００３５】
実施例１の加圧式筆記具１は、摺動体９を一度前方へ移動させた後の図１の状態で筆記を行うと、ボールペンレフィル７内のインキ１２の後端にインキ追従体１３を介して圧力を加えているため、通常よりインキ吐出量が増加し、筆跡濃度の向上、筆跡のかすれ防止、ボールペン構造の特有の問題である上向き筆記時の筆記先端部からの空気巻き込みを防止する等の効果を得られる。
また、図１の状態で筆記を続けると、ボールペンレフィル７内のインキ１２を消費するため、ボールペンレフィル７の後部内孔７ｃの容積がインキ１２の消費分増加してしまい、結果として、連通している加圧空間部１０が減圧され、使うごとに効果が減少してしまうが、もう一度摺動体を前方へ移動させることで、加圧空間部１０の密閉状態を解除した後、再加圧することができ、加圧空間部１０内の加圧状態を回復することができる。
【００３６】
更に、実施例１の加圧式筆記具１は、前述したように、筆記する際に軸筒４を把持する把持部３ｆのすぐ後ろ側に摺動体９の操作部９ｃを配置しているため、筆記状態のまま、指で操作部９ｃを操作できる。このため、摺動体９の操作部９ｃの作動を軸筒４を持ち替えることなく実施でき、加圧空間部１０の加圧状態を容易に維持しつつ筆記を継続することが可能なものとなった。また、操作部９ｃを移動させ加圧機構を作動させる操作を何度繰り返しても、加圧空間部１０の加圧量が増え続けることはなく、過度に加圧量が増えてボールペンレフィル７の前端部１４ａからインキ１２が漏れることを防止することができた。
【００３７】
実施例２
本実施例の加圧式筆記具１０１は、図６に示すように、後軸１０２の前方に前軸１０３を螺合することで軸筒１０４を形成してあり、軸筒１０４内に配設された筒状体５と、筒状体５内に配設された加圧機構６と、加圧機構６の前部に装着され軸筒１０４内を前後に摺動可能なボールペンレフィル７と、軸筒１０４内に前後動自在に配設された重量体１０９（摺動体）と、により構成してある。
【００３８】
重量体１０９（摺動体）は、図６に示すように、軸筒１０４の内側面とボールペンレフィル７の外側面との間に配設され、ボールペンレフィル７外側面を覆うように筒状に形成してあり、ボールペンレフィル７及び軸筒１０４に対して前後動自在になるよう形成してある。
尚、重量体１０９（摺動体）は、軸筒１０４を振った際の運動エネルギーが大きくなるよう、比重の高い材料で形成することが好ましく、本実施例では、ステンレス（ＳＵＳ３０４）を用いて形成してある。
【００３９】
また、重量体１０９（摺動体）の前方にはボールペンレフィル７の前部外側面７ｄに対して摺動自在に形成した摺動リング１２０が配設してあり、摺動リング１２０の後端面１２０ａは、重量体９（摺動体）の前端面と当接するよう形成してある。
【００４０】
前軸１０３（軸筒１０４）は、図６に示すように、前端にボールペンレフィル７のボールペンチップ１４が出没可能な前端開口部１０３ａが形成されている。更に、前軸１０３（軸筒１０４）の内面に形成した内段部１０３ｅと摺動リング１２０の前端面１２０ｂとの間に第１コイルスプリング１５（第一の弾発部材）を圧縮状態で張架し、且つ、摺動リング１２０の後端面１２０ａには、ボールペンレフィル７の外段部７ａが当接するよう構成することで、軸筒１０４に対して摺動リング１２０とボールペンレフィル７とを後方に弾発してある。
【００４１】
後軸１０２（軸筒１０４）は、後端に底部を備えた略筒状に形成してあり、図６に示すように、外側面１０２ａに内孔まで貫通する側孔１０２ｂが形成してある。
【００４２】
尚、加圧式筆記具１０１には、軸筒４を軸方向に沿って前後に振り、重量体１０９（摺動体）を前後動させることで、実施例１と同様に、ボールペンチップ１４の前端部１４ａ（筆記先端部）が前軸３の前端開口部３ａから突出した筆記状態におけるシリンダー１７内の加圧空間部１０の密閉を解除して外気圧と同圧となり、その後、加圧空間部１０を再度密閉し圧縮して加圧する加圧リセット構造を備えている。
【００４３】
次に、図６及び図７を用いて、軸筒１０４を軸方向に沿って前後に振り、重量体１０９（摺動体）を前後に移動させて加圧リセット機構を作動することで、シリンダー１７内の加圧空間部１０の密閉状態を解除し、加圧する動作を説明する。
図６の状態から、前軸１０３（軸筒１０４）を把持したまま軸筒１０４を軸方向に沿って前後に振ると、慣性力により重量体１０９（摺動体）が軸筒１０４及びボールペンレフィル７に対して前後に摺動する。そして、重量体１０９（摺動体）の前端面が摺動リング１２０の後端面１２０ａに当接すると、当接した際の衝撃で、摺動リング１２０が第１コイルスプリング１５（第一の弾性部材）の弾発力に抗して前進する。更に、摺動リング１２０が前進した分、第２コイルスプリング１６の弾発力でピストン１８及びＯリング８に対してシリンダー１７とが前方へ移動する。そして、Ｏリング８がシリンダー１７の空気口１７ｃに達すると、加圧空間部１０と外部とが連通し、加圧空間部１０の密閉状態が解除されて外気圧と同圧になる図７の状態となる。尚、この際、ボールペンレフィル７、シリンダー１７の２部品は摺動リング１２０の移動に合わせて自重により前方側へ移動した状態となる。
ここで、重量体１０９（摺動体）に押された摺動リング１２０の前進が止まると（図７の状態）、第１コイルスプリング１５の弾発力により摺動リング１２０、重量体１０９（摺動体）、ボールペンレフィル７、シリンダー１７、ピストン１８、Ｏリング８が後方へ移動する。そして、筒状体５の底部５ｃにピストン１８の後端が当接することでピストン１８とＯリング８の後退が止まる。この際、第２コイルスプリング１６の弾発力より第１コイルスプリング１５の弾発力が強くなるよう設定しているため、シリンダー１７とボールペンレフィル７は後退を続け、シリンダー１７の空気口１７ｃがＯリング８より後方へ移動し、加圧空間部１０が密閉状態となり、更にシリンダー１７が後方へ移動することで、加圧空間部１０が圧縮して加圧された図６の状態となる。
【００４４】
以上の構成により、実施例２の加圧式筆記具１０１は、軸筒１０４を前後に振り、重量体１０９（摺動体）を前後動させ、加圧機構６を作動させることで、一次的に加圧空間部１０の密閉状態を解除して外気圧と同圧にした後、再度加圧空間部１０を密閉し圧縮することで加圧することができる。このため、加圧機構６を作動させた加圧式筆記具１０１で筆記を行うと、ボールペンレフィル７内のインキ１２の後端にインキ追従体１３を介して圧力を加えるため、通常よりインキ吐出量が増加し、筆跡濃度の向上、筆跡のかすれ防止、ボールペン構造の特有の問題である上向き筆記時の筆記先端部からの空気巻き込み防止等の効果を得られる。
また、図６の状態で筆記を続けると、ボールペンレフィル７内のインキ１２を消費するため、ボールペンレフィル７の後部内孔７ｃ（後方空間部）の容積がインキ１２の消費分増加してしまい、結果として、後部内孔７ｃ（後方空間部）と連通している加圧空間部１０が減圧され、筆記毎に少しずつ効果が減少してしまうが、軸筒１０４を前後に振り、加圧機構６を作動させることで、再加圧することができる。このため、加圧機構６の作動を軸筒４を持ち替えることなく実施でき、加圧空間部１０の加圧状態を容易に維持しつつ筆記を継続することが可能なものとなった。
【００４５】
尚、本実施例では、軸筒を振った際、摺動リング１２０の後端面１２０ａに重量体を当接させることで第１コイルスプリング１５を圧縮し、ボールペンレフィル７を第２コイルスプリング１６の弾発力で前進させて、加圧機構６の加圧空間部１０の密閉状態を解除したが、重量体９が当接する当接部をボールペンレフィルに一体的に設けてよく、図示はしないが、例えば、ボールペンレフィルの外側面に外方へ向って突出する突起部を設け、突起部に重量体が当接するよう構成することで、軸筒を振った際の重量体の慣性力で直接、ボールペンレフィルを第１コイルスプリングの弾発力に抗して前進させ、ボールペンレフィルの前進によりシリンダーを前進させることでも加圧空間部の密閉状態を解除して当該加圧空間部を外気圧と同圧にした後、加圧することが可能である。
【符号の説明】
【００４６】
１…式加圧式筆記具、
２…後軸、２ａ…外側面、２ｂ…側孔、
３…前軸、３ａ…前端開口部、３ｂ…外側面、３ｃ…内孔、３ｄ…側孔、
３ｅ…内段部、３ｆ…内段部、
４…軸筒、
５…筒状体、５ａ…掛止突起、５ｂ…ストッパー、５ｃ…底部、
６…加圧機構、
７…ボールペンレフィル、７ａ…外段部、７ｂ…後端内周部、
７ｃ…後部内孔（後方空間部）、７ｄ…前部外側面、
８…Ｏリング、
９…摺動体、９ａ…スリット部、９ｂ…内孔、９ｂ１…前部内孔、９ｂ２…後部内孔、
９ｃ…操作部、９ｄ…前端面、９ｅ…内段部、９ｆ…凹凸部、
１０…加圧空間部、
１１…インキ収容筒、
１２…インキ（筆記具用インキ組成物）、
１３…インキ追従体、
１４…ボールペンチップ、１４ａ…前端部、
１５…第１コイルスプリング（第一の弾発部材）、
１６…第２コイルスプリング（第二の弾発部材）、
１７…シリンダー、１７ａ…後端開口部、１７ｂ…内孔、１７ｃ…空気口、
１７ｄ…内側部、１７ｅ…前部、１７ｆ…中央部、１７ｇ…装着部、
１７ｈ…窓部、１７ｉ…内方段部、１７ｊ…窓部後端、
１８…ピストン、１８ａ…外周部、１８ｂ…凸部、１８ｃ…凹状部、
１８ｄ…後部内孔、１８ｅ…前段部。
１０１…加圧式筆記具、
１０２…後軸、１０２ａ…外側面、１０２ｂ…側孔、
１０３…前軸、１０３ａ…前端開口部、１０３ｂ…外側面、１０３ｃ…内孔、
１０３ｅ…内段部、
１０４…軸筒、
１０９…重量体（摺動体）、
１２０…摺動リング、１２０ａ…後端面（当接部）、１２０ｂ…前端面。
【図１】
2019130806.tif 000003
【図２】
2019130806.tif 000004
【図３】
2019130806.tif 000005
【図４】
2019130806.tif 000006
【図５】
2019130806.tif 000007
【図６】
2019130806.tif 000008
【図７】
2019130806.tif 000009